(57)【要約】      （修正有）【課題】爪や爪の周囲を傷つけずに爪の先端の角を削ることができる爪削り具を提供する。【解決手段】爪削り具１は、爪を削る爪削り部２００を備える。爪削り部２００は、爪削り部２００の長手方向に沿って爪削り部２００の上下に設けられるガイド部４０を有する溝部３０内に配置される溝型削り部２０である。【選択図】図３
0003185250.tif 000002
【実用新案登録請求の範囲】
【請求項１】
爪を削る爪削り部を備える爪削り具において、
前記爪削り部は、前記爪削り部の長手方向に沿って前記爪削り部の上下に設けられるガイド部を有する溝部内に配置される溝型削り部である爪削り具。
【請求項２】
請求項１に記載の爪削り具において、
前記溝型削り部は、前記溝部の上下の少なくとも一方に曲面状の削り面を有する爪削り具。
【請求項３】
請求項１又は２に記載の爪削り具において、
前記溝型削り部は、前記爪の外形の湾曲に沿って、平面視にて凹形状の曲線形状を有する爪削り具。
【請求項４】
請求項１〜３のいずれか１項に記載の爪切り具において、
前記溝型削り部は、前記爪の断面の反りに沿って、側面視にて長手方向に湾曲する湾曲形状を有する爪削り具。
【請求項５】
請求項１〜４のいずれか１項に記載の爪切り具において、
前記ガイド部は、上側ガイド部と下側ガイド部とを含み、前記上側ガイド部が前記下側ガイド部より延長された延長ガイド部である爪削り具。
【請求項６】
請求項５に記載の爪削り具において、
前記延長ガイド部は、前記爪の先端に沿って前記溝型削り部が移動する回転体を有する爪削り具。
【請求項７】
請求項１〜６のいずれか１項に記載の爪削り具において、
前記溝型削り部は、粒状体を表面に有する爪削り具。
【考案の詳細な説明】
【技術分野】
【０００１】
本考案は、ヤスリや刃で構成される爪削り部を備える爪削り具に関する。
【背景技術】
【０００２】
従来、爪切りのテコの側面にＶ字型で底部が平らな溝を設け、この溝の底部に爪仕上げ用の平ヤスリを設け、爪切り後の爪の切り口の角に平ヤスリ部分を接触させ、切り口の角に沿って爪切りのテコをスライドさせて当該角を削る爪仕上げ用ヤスリが知られている（例えば、特許文献１参照。）。特許文献１に記載の爪仕上げ用ヤスリによれば、爪を切った後の切り口をきれいに仕上げることができる。
【０００３】
また、ケース内に、電池と、この電池によって回転駆動されるモータと、このモータの回転を減速する回転減速機構と、この回転減速機構の回転出力軸に固定した円盤形の爪削り部とをそれぞれ収容し、爪削り部の外周部に対向するケースの少なくとも一部に爪を挿入する開口部を形成した爪削り装置が知られている（例えば、特許文献２参照。）。更に、電池でモータの回転をホイールとコンロッドとで往復運動に変換し、コンロッドの先端に鑢等を付けて爪を削り、削った爪粉をモータに付いているファンで吸引し、フィルターで濾過して爪粉室に蓄える電気爪削り器が知られている（例えば、特許文献３参照。）。特許文献２に記載の爪削り装置、及び特許文献３に記載の電気爪削り器によれば、爪を電動で削ることができる。
【先行技術文献】
【特許文献】
【０００４】
【特許文献１】特開平１１−４６８４４号公報
【特許文献２】実開平６−７９４１３号公報
【特許文献３】特開２００９−６６３６９号公報
【考案の概要】
【考案が解決しようとする課題】
【０００５】
しかし、特許文献１に記載されている爪仕上げ用ヤスリにおいては、爪切りと平ヤスリとを併用しており、爪を削る場合に平ヤスリに加える力のバランス調整、及び平ヤスリを爪に対して回転させる動作が困難であり、爪を滑らかにすることが難しい。また、特許文献２に記載されている爪削り装置、及び特許文献３に記載されている電気爪削り器においては、爪先を削る場合には細心の注意を要するにもかかわらず、電動で爪を強制的に削るので、均一性の高い仕上がりにならない場合や爪に傷が付く場合がある。
【０００６】
したがって、本考案の目的は、爪や爪の周囲を傷つけずに爪の先端の角を削ることができる爪削り具を提供することにある。
【課題を解決するための手段】
【０００７】
本考案は、上記目的を達成するため、爪を削る爪削り部を備える爪削り具において、爪削り部は、爪削り部の長手方向に沿って爪削り部の上下に設けられるガイド部を有する溝部内に配置される溝型削り部である爪削り具が提供される。
【考案の効果】
【０００８】
本考案に係る爪削り具によれば、爪や爪の周囲を傷つけずに爪の先端の角を削ることができる爪削り具を提供できる。
【図面の簡単な説明】
【０００９】
【図１】第１の実施の形態に係る爪削り具の使用図である。
【図２】第１の実施の形態に係る爪削り具を巻爪を有する爪に使用する図である。
【図３】（ａ）は第１の実施の形態に係る爪削り具の平面図であり、（ｂ）は正面図であり、（ｃ）は底面図である。
【図４】（ａ）は第１の実施の形態に係る爪削り具の溝型削り部の拡大図であり、（ｂ）は溝型削り部の側面の拡大図であり、（ｃ）は爪削り具の使用状態の拡大図である。
【図５】第２の実施の形態に係る爪削り具の使用状態図である。
【図６】（ａ）は第２の実施の形態に係る爪削り具の平面図であり、（ｂ）は正面図であり、（ｃ）は底面図である。
【図７】（ａ）は第３の実施の形態に係る爪削り具の部分平面図であり、（ｂ）は溝型削り部の拡大図であり、（ｃ）は溝型削り部の側面の部分拡大図であり、（ｄ）は爪削り具の使用状態の拡大図である。
【図８】（ａ）は第４の実施の形態に係る爪削り具の平面図であり、（ｂ）は爪削り具の正面断面図である。
【図９】第５の実施の形態に係る爪削り具の平面図である。
【００１０】
［第１の実施の形態］
図１は、本考案の第１の実施の形態に係る爪削り具の使用方法の一例を示し、図２は、本考案の第１の実施の形態に係る爪削り具を巻爪を有する爪に使用する方法の一例を示す。具体的に、図２（ａ）は、第１の実施の形態に係る爪削り具の使用状態の上面図の一例を示し、図２（ｂ）は、第１の実施の形態に係る爪削り具の使用状態の側面図の一例を示す。
【００１１】
（爪削り具１の概要）
第１の実施の形態に係る爪削り具１は、爪９５及び爪９５の周囲を傷つけずに爪９５の先端の角部を削ることで爪９５の先端を丸めることができる。具体的に、爪削り具１は、爪９５を削る爪削り部２００を備える。より具体的に、爪削り部２００は、爪削り部２００の長手方向に沿って爪削り部２００の上下に設けられるガイド部４０を有する溝部３０内に配置されることで溝型削り部２０を構成する。ここでガイド部４０は、爪削り部２００の上側に設けられる上側ガイド部４００と、爪削り部２００の下側に設けられる下側ガイド部４０５とを含んで構成される。
【００１２】
そして図１に示すように、まず、爪９５の先端部分に爪削り具１の溝部３０を接触させる。この場合において、上側ガイド部４００が爪９５の表面に位置すると共に、下側ガイド部４０５が爪９５と指９１との間に位置する。次に、爪９５の先端に沿って爪削り具１を移動させる。例えば、図１に示すＡ方向に、柄１０を指９０で保持しながら爪削り具１の溝型削り部２０を爪９５に接触させた状態で移動させる。これにより、爪９５の先端が削り取られる。
【００１３】
また、図２に示すように爪９５の端部に巻爪部９７が存在する場合を説明する。まず、爪削り具１の溝型削り部２０を爪９５の先端に接触させる。この場合において、爪９５の裏面側と指の腹９２との間に下側ガイド部４０５が配置される。そして、図２に示すＡ方向（すなわち、爪９５の先端に沿う方向）に沿って爪削り具１を移動させることで、巻爪部９７がガイド部４０に沿って伸ばされ、爪削り部２００によって削り取られる。なお、巻爪部９７を効果的に削り取ることを目的とする場合、風呂上がり等の爪９５が柔軟性を有する状態で巻爪部９７に爪削り具１を用いることが好ましい。
【００１４】
（爪削り具１の構成の詳細）
図３（ａ）は、第１の実施の形態に係る爪削り具の平面図の一例を示し、図３（ｂ）は、第１の実施の形態に係る爪削り具の正面図の一例を示し、図３（ｃ）は、第１の実施の形態に係る爪削り具の底面図の一例を示す。また、図４（ａ）は、第１の実施の形態に係る爪削り具の溝型削り部の拡大図の一例を示し、図４（ｂ）は、第１の実施の形態に係る爪削り具の溝型削り部の側面の拡大図の一例を示す。そして、図４（ｃ）は、第１の実施の形態に係る爪削り具の使用状態の拡大図の一例を示す。
【００１５】
本実施の形態に係る爪削り具１は、柄１０と、柄１０の一方の端部に形成される溝部３０内に設けられる爪削り部２００と、爪削り部２００の長手方向に沿って爪削り部２００の上下に設けられるガイド部４０とを備える。
【００１６】
（柄１０及び溝部３０）
柄１０は、平面視にて、一方の端部が所定の曲率半径を有する円弧状に形成され、他方の端部が一方の端部側に向けて湾曲状に窪んだ凹形状を有する略台形状を呈する。また、図３（ｂ）に示すように、柄１０は、一方の端部側から溝部３０が設けられる他方の端部側に向けて徐々に厚さが厚くなるように形成される。溝部３０は、柄１０の凹形状を有する側に設けられる。また溝部３０は、平面視にて、爪９５の外形の湾曲に沿った凹形状の湾曲形状を有する。
【００１７】
（溝型削り部２０及び爪削り部２００）
溝型削り部２０は、溝部３０の内側表面に爪削り部２００が設けられることで構成される。ここで溝部３０は、平面視にて凹形状を有する。そして、溝部３０内に爪削り部２００が設けられて溝型削り部２０が構成されるので、溝型削り部２０は、平面視にて、爪９５の外形の湾曲に沿った凹形状の湾曲形状を有する。
【００１８】
爪削り部２００は、例えば、予め定められた目を有するヤスリである。爪削り部２００は、例えば、金属材料（一例として、鋼材）を用いて形成できる。なお、溝部３０の表面にヤスリ目を形成した後、ヤスリ目に焼き入れ処理を施すことで爪削り部２００を形成できる。また、鋼材で焼き入れした爪削り部２００を形成した部材を、アルミダイキャストやプラスチック材で形成し溝部３０を設けた柄１０の溝部３０に貼り付ける等で取り付けても良い。また、ヤスリ目の代替に粒状体としての所定の砥粒を溝部３０の表面に貼り付けることで爪削り部２００を形成することもできる。この場合において砥粒の粒径を調整することで、爪削り部２００の表面の粗さを調整できる。
【００１９】
また、溝型削り部２０は、溝部３０の上下の少なくとも一方に曲面状の削り面を有する。例えば、図４（ｂ）及び図４（ｃ）に示すように、溝部３０の内側表面に沿って爪削り部２００が設けられることにより、それぞれ曲面状の上側削り面２０５及び下側削り面２０７が形成される。したがって、爪削り具１を用いて爪９５を削ることにより、上側削り面２０５により爪９５の上側の角部である上側爪角部９５ａが削られる。同様に、下側削り面２０７により爪９５の下側の角部である下側爪角部９５ｂが削られる。
【００２０】
また、溝型削り部２０は、爪９５の断面の反りに沿って、側面視にて長手方向に湾曲する湾曲形状を有する。すなわち、溝型削り部２０は、図４（ａ）に示すように、爪削り具１の側面視にて、下側から上側（例えば、下側ガイド部４０５の側から上側ガイド部４００の側）に向けて緩やかな凸状に湾曲する形状を有する。したがって、溝型削り部２０は、平面視にて凹形状の湾曲形状を有すると共に側面視にて凸状に湾曲する形状を有するので、爪９５の先端の全体に爪削り部２００を接触させることができる。
【００２１】
（ガイド部４０）
ガイド部４０は、爪９５の先端に接触している溝型削り部２０の当該先端に沿った移動を補助する。ガイド部４０は、爪削り部２００の上側に設けられる上側ガイド部４００と、爪削り部２００の下側に設けられる下側ガイド部４０５とを有する。上側ガイド部４００は、爪９５の表面に沿って移動する。一方、下側ガイド部４０５は、爪９５と指との間に沿って移動する。これにより、爪削り具１は、爪９５の先端を滑らかに削ることができる。なお、図４（ｃ）に示すように、溝型削り部２０を爪９５に接触させやすくすることを目的として、上側ガイド部４００の厚さよりも下側ガイド部４０５の厚さを薄くすることができる。下側ガイド部４０５の溝部３０からの突起長さは、短い爪を好む人用として短め（例えば０．５ｍｍ〜１ｍｍ）としたり、長い爪を好む人用としては長め（例えば２ｍｍ〜４ｍｍ）としても良い。また、上側ガイド部４００の溝部３０からの突起長さは下側ガイド部４０５の突起長さより長く（例えば３ｍｍから５ｍｍ）しても良い。また、ガイド部４００、４０５を長くした場合に爪の表面との接触で爪の表面に傷（例えばネールアートの絵に対する傷）を付けない様にガイド４００、４０５と爪の当たる面を滑らかに仕上げたり、丸味を付けたりすると良い。
【００２２】
（第１の実施の形態の効果）
第１の実施の形態に係る爪削り具１は、溝型削り部２０を備えると共にガイド部４０を爪９５に接触させて爪９５の先端を削るので、爪９５や爪９５の周囲を傷つけずに爪９５の先端を削ることができる。これにより、爪削り具１によれば、爪９５を傷つけずに爪９５の先端を丸めることができる。また、爪削り具１は、巻爪部９７も容易に削ることができる。更に、爪削り具１は、溝部３０を含むガイド部４０を有する柄１０を備えており、溝部３０を爪９５の先端に接触させて爪９５の先端を削るので、深爪を抑制できる。なお、爪９５が長く伸びる前に、爪削り具１によって爪９５をこまめに削ることが好ましい。こまめに削ることで、ハサミや、爪切りやニッパ型爪切り等を使用することがなくなり深爪を防止することが出来る。
【００２３】
（第２の実施の形態）
図５は、本考案の第２の実施の形態に係る爪削り具の使用状態の一例を示す。また、図６（ａ）は、第２の実施の形態に係る爪削り具の平面図の一例を示し、図６（ｂ）は、第２の実施の形態に係る爪削り具の正面図の一例を示し、図６（ｃ）は、第２の実施の形態に係る爪削り具の底面図の一例を示す。
【００２４】
第２の実施の形態に係る爪削り具２は、第１の実施の形態に係る爪削り具１とはガイド部の構成及び機能が異なる点を除き、略同一の構成及び機能を備える。したがって、相違点を除き詳細な説明は省略する。
【００２５】
爪削り具２は、柄１０と、柄１０の一方の端部に形成される溝部３０内に設けられる爪削り部２００とを備える。そして、爪削り具２の爪削り部２００は、爪削り部２００の長手方向に沿って爪削り部２００の上下に設けられるガイド部４２を有する溝部３０内に配置されることで溝型削り部２０を構成する。本実施の形態に係るガイド部４２は、爪削り部２００の下側に設けられる下側ガイド部４０５と、爪削り部２００の上側に下側ガイド部４０５の長さより長く設けられる延長ガイド部４０７とを含んで構成される。
【００２６】
更に、延長ガイド部４０７には、裏面側に設けられた下部円盤５０２を有する。下部円盤５０２は、使用時に爪９５の表面に張り付く部分である。下部円盤５０２は、爪９５の先端に沿って溝型削り部２０が移動すると回転するように取り付けられている。さらに、延長ガイド部４０７には、上面側に設けられた上部円盤５００を有する。上部円盤５００と下部円盤５０２とは、延長ガイド部４０７の中央付近に設けられた貫通孔６００を介してそれぞれが独立して回動可能なように連結され、回転体５０を構成している。回転体５０は、ガイド部４２に対して自在に回転させることができる。また、上部円盤５００は、下部円盤５０２の直径よりも大きい直径を有して形成される。なお、下部円盤５０２は、爪９５の表面に傷がつかない材料を用いて形成される。例えば、下部円盤５０２は、プラスチック、ゴム等の高分子材料を用いて形成できる。上部円盤５００に親指を載せて使用すれば、適度な力を掛けながら、溝型削り部２０を爪９５の先端に沿って移動させることができる。
なお、上部円盤５００は必ずしも回動しなくとも良い。また、上部円盤５００を設けなくても良い。
【００２７】
図５に示すように、延長ガイド部４０７の下部円盤５０２を爪９５の表面に載せ、爪に下部円盤５０２が張り付いて動かない状態で回転体５０を中心に柄１０を回転させることで、爪９５の先端を爪削り具２が滑らかに回転する。これにより、爪削り具２によれば、爪９５の表面に傷をつけることなく、爪９５の先端を削ることができる。
【００２８】
（第３の実施の形態）
図７（ａ）は、本考案の第３の実施の形態に係る爪削り具の部分平面図の一例を示し、図７（ｂ）は、第３の実施の形態に係る爪削り具の溝型削り部の拡大図の一例を示す。また、図７（ｃ）は、第３の実施の形態に係る爪削り具の溝型削り部の側面の部分拡大図の一例を示し、図７（ｄ）は、第３の実施の形態に係る爪削り具の使用状態の拡大図の一例を示す。
【００２９】
第３の実施の形態に係る爪削り具１ａは、第１の実施の形態に係る爪削り具１とは、溝型爪削り部の構成が異なる点を除き、略同一の構成及び機能を備える。したがって、相違点を除き詳細な説明は省略する。
【００３０】
爪削り具１ａが備える溝型削り部２０ａは、爪削り部として刃部２５０が溝部３０に設けられて構成される。刃部２５０は、溝部３０の底部に位置する底面刃部２５２と、爪９５の上側の角部付近に接触する上側刃部２５５と、爪９５の下側の角部付近に接触する下側刃部２５７とを有する。爪削り具１ａを爪９５の先端に接触させて爪９５に対して回転させることにより、爪９５の先端を刃部２５０によって削ることができる。また、爪削り具１ａは、ガイド部４０を備えているので、刃部２５０が指に接触することを防止できる。
【００３１】
（第４の実施の形態）
図８（ａ）は、本考案の第４の実施の形態に係る爪削り具の平面図の一例を示し、図８（ｂ）は、本考案の第４の実施の形態に係る爪削り具の正面断面図の一例を示す。
【００３２】
第４の実施の形態に係る爪削り具３は、第２の実施の形態に係る爪削り具２とは、柄及び溝型削り部の構成が異なる点を除き、略同一の構成及び機能を備える。したがって、相違点を除き、詳細な説明は省略する。
【００３３】
第４の実施の形態に係る爪削り具３は、金属材料を用いて構成される柄１２と、柄１２の一方の端部に柄１２と一体的に形成される刃部２５０と、柄１２の一方の端部において柄１２に固定されるガイド部４２とを備える。刃部２５０は、平面視にて、柄１２の一方の端部において２つに分割した形状を有する。例えば、刃部２５０は、柄１２の一方の端部から突出する第１の刃部と第２の刃部とを含む。第１の刃部の先端部分と第２の刃部の先端部分とはそれぞれ、柄１２の表面に対して略垂直方向に伸びて形成される。そして、これらの伸びた部分の爪９５側のそれぞれに爪９５を削ることができる刃が設けられる。
【００３４】
ガイド部４２は、下側ガイド部４０５と延長ガイド部４０７とを有する。そして、下側ガイド部４０５と延長ガイド部４０７との間に溝部３０が位置すると共に、溝部３０の内側に刃部２５０が配置される。本実施の形態においてガイド部４２は、プラスチック材料を用いて形成される。なお、ガイド部４２は、柄１２の一方の端部に嵌め込まれることで柄１２に固定される。また、柄１２とガイド部４２とは、二重成型により一体化することもできる。
【００３５】
刃部２５０を有する爪削り具１ａ及び爪削り具３は、子供の爪や風呂上がり等で柔らかくなった爪を容易に削ることができる。なお、柄１２は、他方の端部に穴１２０を有する。穴１２０に紐等を通すことで、爪削り具３を壁等につるしておくことができる。
【００３６】
（第５の実施の形態）
図９は、本考案の第５の実施の形態に係る爪削り具の平面図の一例を示す。
【００３７】
第５の実施の形態に係る爪削り具４は、複数の溝型削り部を備える点を除き、第１の実施の形態から第４の実施の形態に係る爪削り具が備える構成及び機能の一部又は全部を備える。したがって、相違点を除き、詳細な説明は省略する。
【００３８】
第５の実施の形態に係る爪削り具４は、平面視にて、枝部１４０ａ、枝部１４０ｂ、枝部１４０ｃ、及び枝部１４０ｄを有することで略十字形状を呈する本体（上部ガイド）１４と、枝部１４０ａの先端に設けられる溝型削り部２０と、枝部１４０ｂの先端に設けられる溝型削り部２２と、枝部１４０ｃの先端に設けられる溝型削り部２４と、枝部１４０ｄの先端に設けられる溝型削り部２６とを備える。
【００３９】
本実施の形態において溝型削り部２０、溝型削り部２２、溝型削り部２４、及び溝型削り部２６の平面視における形状はそれぞれ異なる。すなわち、溝型削り部２０、溝型削り部２２、溝型削り部２４、及び溝型削り部２６の平面視における凹形状の湾曲形状の湾曲の度合いがそれぞれ異なる。例えば、溝型削り部２０、溝型削り部２２、溝型削り部２４、溝型削り部２６の順に、凹形状の湾曲度合いを徐々に小さくする。これにより、爪削り具４によれば、ユーザーの爪の大きさや形状に応じ、適切な湾曲度合いを有する溝型削り部を選択することができる。
【００４０】
なお、溝型削り部２０、溝型削り部２２、溝型削り部２４、及び溝型削り部２６がそれぞれ有する爪削り部をヤスリにした場合、各溝型削り部が有する爪削り部のヤスリの目の粗さをそれぞれ異なる目にすることもできる。また、溝型削り部２０、溝型削り部２２、溝型削り部２４、及び溝型削り部２６がそれぞれ有する爪削り部を、ヤスリだけではなく刃部を混ぜることもできる。また、十字状でなく三つ又や六つ又の様にしたり、上部ガイドの平面視での全体形状を三角形や四角形等の多角形、または円形等としても良い。全体形状が多角形の場合、各頂点位置に、溝型削り部を設ける。円形の場合、例えば、円周状に等間隔で溝型削り部を設ける
【００４１】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００４２】
１、１ａ、２、３、４  爪削り具
１０、１２  柄
１４  本体
２０、２０ａ、２２、２４、２６  溝型削り部
３０  溝部
４０、４２  ガイド部
５０  回転体
９０、９１  指
９２  指の腹
９５  爪
９５ａ  上側爪角部
９５ｂ  下側爪角部
９７  巻爪部
１２０  穴
１４０ａ、１４０ｂ、１４０ｃ、１４０ｄ  枝部
２００  爪削り部
２０５  上側削り面
２０７  下側削り面
２５０  刃部
２５２  底面刃部
２５５  上側刃部
２５７  下側刃部
４００  上側ガイド部
４０５  下側ガイド部
４０７  延長ガイド部
５００  上部円盤
５０２  下部円盤
６００  貫通孔
【図１】
0003185250.tif 000003
【図２】
0003185250.tif 000004
【図３】
0003185250.tif 000005
【図４】
0003185250.tif 000006
【図５】
0003185250.tif 000007
【図６】
0003185250.tif 000008
【図７】
0003185250.tif 000009
【図８】
0003185250.tif 000010
【図９】
0003185250.tif 000011